(57)【要約】【課題】複数のポインティングデバイスを有する電子機器において適宜ポインティングデバイスの入力可能／禁止を切替えることが可能であり、入力可能なポインティングデバイスを容易に識別可能とする電子機器を提供することを目的とする。【解決手段】ポインティングデバイスの切替えを指示するイベント（切替えキー１０または特定ボタンの押下）が起きたと判断した場合は（ステップＳ１０４のＹＥＳ）、ＢＩＯＳへ、ポインティングデバイスの切替えを行なうように指示する（ステップＳ１０５）。ＥＣ１８はレジスタの値が書き換えられたことに伴って、ポインティングデバイスのイネーブル／ディスエーブル制御を行う（ステップＳ１０８）。またこれに伴い発光手段２３、２４の発光／消灯制御を行う（ステップＳ１０９）。発光手段２３、２４は、ＥＣ１８内のレジスタの値に基づいて電源供給を受け発光／点灯が制御される。【選択図】  図５
2004348453.tif 000002
【特許請求の範囲】
【請求項１】
表示手段と、
前記表示手段に表示されたポインタを操作可能な第１のポインティングデバイスと、
前記表示手段に表示されたポインタを操作可能な第２のポインティングデバイスと、
前記第１のポインティングデバイスおよび前記第２のポインティングデバイスからの入力可能状態と入力禁止状態とを切替え指示を行う指示手段と、
前記指示手段の指示に応じて前記第１のポインティングデバイスが入力可能状態である場合に入力可能であることを示す第１の識別手段と、
前記指示手段の指示に応じて前記第２のポインティングデバイスが入力可能状態である場合に入力可能であることを示す第２の識別手段と、を具備することを特徴とする電子機器。
【請求項２】
前記第１の識別手段および前記第２の識別手段は発光手段により構成されていることを特徴とする請求項１に記載の電子機器。
【請求項３】
前記第１のポインティングデバイスはタッチパッドであり、
前記第２のポインティングデバイスはスティック式のポインティングデバイスであることを特徴とする請求項２に記載の電子機器。
【請求項４】
前記第１の識別手段は、前記タッチパッドの近傍に設けられ、前記タッチパッドは前記第１の識別手段からの光を透過する透光部材により構成されており、
前記第１のポインティングデバイスが入力可能である場合に前記第１の識別手段は発光されることを特徴とする請求項３に記載の電子機器。
【請求項５】
前記電子機器は前記表示手段と回動可能に接続される本体を具備し、
前記タッチパッドは前記本体の表面に設けられており、さらに前記第１の識別手段は前記本体内部で且つ前記タッチパッドの下方に設けられていることを特徴とする請求項４に記載の電子機器。
【請求項６】
前記電子機器は、前記本体に設けられ前記第２のポインティングデバイスにより操作の決定を指示するボタンを具備し、
前記第２の識別手段は前記本体内部で且つ前記ボタンの下方に設けられ、前記ボタンは光を透過する透過部材による構成されることを特徴とする請求項５に記載の電子機器。
【請求項７】
表示手段と、
前記表示手段に回動可能に接続された本体と、
前記本体の上面に設けられ、複数のキーが配置されたキーボードと
前記本体表面で且つ、前記キーボードの手前に配置され、前記表示手段に表示されたポインタを操作する第１のポインティングデバイスと、
前記本体に設けられた表示手段に表示されたポインタを操作する第２のポインティングデバイスと、
前記第１のポインティングデバイスおよび前記第２のポインティングデバイスからの入力可能状態と入力禁止状態との切替えを指示する指示手段と、
前記指示手段の指示に応じて前記第１のポインティングデバイスが入力可能状態である場合に入力可能であることを示す第１の発光手段と、
前記指示手段の指示に応じて前記第２のポインティングデバイスが入力可能状態である場合に入力可能であることを示す第２の発光手段と、
を具備することを特徴とする電子機器。
【請求項８】
前記第１の発光手段は前記本体内で且つ前記第１のポインティングデバイスの下方に設けられており、
前記第１のポインティングデバイスは前記第１の発行手段からの光を透過する透光部材により構成されており、
前記第１のポインティングデバイスが使用可能である場合に点灯されること
を特徴とする請求項７に記載の電子機器。
【請求項９】
表示手段と、前記表示手段に表示されたポインタを操作する第１のポインティングデバイスと第２のポインティングデバイスとを具備する電子機器のポインティングデバイス制御方法において、
前記第１のポインティングデバイスおよび前記第２のポインティングデバイスからの入力可能状態と入力禁止状態とを切替えを指示する指示する指示手段からの指示を検知し、
前記指示手段の指示に応じて前記第１のポインティングデバイスが入力可能状態である場合に入力可能であることを示す第１の発光手段を発光させ、
前記指示手段の指示に応じて前記第２のポインティングデバイスが入力可能状態である場合に入力可能であることを示す第２の発光手段を発光させること、を特徴とするポインティングデバイス制御方法。
【発明の詳細な説明】
【０００１】
【発明の属する技術分野】
本発明は、複数のポインティングデバイスを有する電子機器に関する。
【０００２】
【従来の技術】
従来、パーソナルコンピュータ（以後、パソコンと称す）の入力装置としては、キーボードが広く利用されてきているが、このキーボードの補助的な入力装置として、例えば、マウス、トラックボール、タッチパッド、スティック式ポインティングデバイスなどのポインティング入力装置（ポインティングデバイス）が併用されることが多い。
【０００３】
それらポインティングデバイスを用いて、表示装置の表示画面上に表示されているポインタ（カーソル）などを移動させるための操作および、選択、実行等の指示のためのクリックやダブルクリックの操作を行なうことができる。
【０００４】
特に、パソコンに搭載されるポインティングデバイスとしては、スティック式ポインティングデバイスまたはタッチパッドのいずれかが搭載されるものが増えてきている。
【０００５】
スティック式ポインティングデバイスはその占有面積が小さくて済むという利点があり、タッチパッドは占有面積は増えるものの操作性に優れると言う利点がある。
【０００６】
また近年、タッチパッドとスティック式ポインティングデバイスとの両方を搭載される機種も登場している。
【０００７】
一般に、タッチパッドは、パソコンのキーボードの手前に配置されており、キー入力操作中に自然と手が触れる位置にある。そのため、キー入力操作中に誤って触れた場合にカーソルが意図しない方向へ移動してしまう場合がある。
【０００８】
このため、タッチパッドの入力操作を不許可にするユーティリティソフトや、所定時間キー入力がなくなった場合にタッチパッドからの入力を有効にするという技術（特許文献１）や、タッチパッドの一部にタッチパッドから入力された信号の有効／無効を切換えるボタンを設ける技術（例えば特許文献２）が知られている。
【０００９】
【特許文献１】
特開平１０−１３３７９６号公報
【００１０】
【特許文献２】
特開２０００１−３０６２４６公報
【００１１】
【発明が解決しようとする課題】
しかし、上述のようなパソコンにおいて、ポインティングデバイスの有効／無効の切り替えは、タッチパッドとスティック式ポインティングデバイスとの両方を有効にするか、両方を無効にするかの切り替えしか出来ないと言う問題があった。
【００１２】
このため、キー操作のみならず例えばスティック式ポインティングデバイスを操作中にも予期せず手の一部がタッチパッドに触れてしまい誤操作を招く恐れがある。
【００１３】
また上述した特許文献１に記載の技術では、キー入力しない状態が一定時間続けば、タッチパッドを操作していなくても人体の静電気によりポインタが移動してしまうと言った問題もあった。
【００１４】
また、上述した特許文献２に記載の技術では、タッチパッドの決定操作を行なうボタン部に信号入力の許可／禁止を指示するボタンとしての機能も割り当てており、通常のパッド部を操作する際も、ボタン部に手をかけていないと操作できないと言う問題や、ボタン部のストロークにより許可禁止を切換えているため、不用意にボタンからの入力が成されてしまうという問題があった。
【００１５】
また上記技術において、複数ポインティングデバイスを有しているパソコンで、現在使用可能なポインティングデバイスの判別が難しく、操作してみないと入力可能か否か判別できないという問題があった。
【００１６】
上記課題を解決するために、本発明は、複数のポインティングデバイスを有する電子機器において適宜ポインティングデバイスの入力可能／禁止を切替えることが可能であり、入力可能なポインティングデバイスを容易に識別可能とする電子機器を提供することを目的とする。
【００１７】
【課題を解決するための手段】
上記目的を達成するために、請求項１に係る発明では、表示手段と、表示手段に表示されたポインタを操作可能な第１のポインティングデバイスと、表示手段に表示されたポインタを操作可能な第２のポインティングデバイスと、第１のポインティングデバイスおよび第２のポインティングデバイスからの入力可能状態と入力禁止状態とを切替え指示を行う指示手段と、指示手段の指示に応じて第１のポインティングデバイスが入力可能状態である場合に入力可能であることを示す第１の識別手段と、
指示手段の指示に応じて第２のポインティングデバイスが入力可能状態である場合に入力可能であることを示す第２の識別手段と、を具備することを特徴とする。
【００１８】
このような構成により、複数のポインティングデバイスを有する電子機器において適宜ポインティングデバイスの入力可能／禁止を切替えることが可能であり、入力可能なポインティングデバイスを容易に識別可能とする電子機器を提供することが可能となる。
【００１９】
また請求項７に係る発明では、表示手段と、表示手段に回動可能に接続された本体と、本体の上面に設けられ、複数のキーが配置されたキーボードと本体表面で且つ、キーボードの手前に配置され、表示手段に表示されたポインタを操作する第１のポインティングデバイスと、本体に設けられた表示手段に表示されたポインタを操作する第２のポインティングデバイスと、第１のポインティングデバイスおよび第２のポインティングデバイスからの入力可能状態と入力禁止状態との切替えを指示する指示手段と、指示手段の指示に応じて第１のポインティングデバイスが入力可能状態である場合に入力可能であることを示す第１の発光手段と、指示手段の指示に応じて第２のポインティングデバイスが入力可能状態である場合に入力可能であることを示す第２の発光手段と、を具備することを特徴とする。
【００２０】
このような構成により、複数のポインティングデバイスを有する電子機器において適宜ポインティングデバイスの入力可能／禁止を切替えることが可能であり、入力可能なポインティングデバイスを容易に識別可能とする電子機器を提供することが可能となる。
【００２１】
【発明の実施の形態】
以下本発明に係る実施形態を、図面を参照して説明する。
【００２２】
図１に、第１の実施形態に係るパソコンの斜視図を示す。
【００２３】
パソコン１は、本体ケース２と表示部ケース３とＬＣＤパネル４とキーボード５とを有する。本体ケース２はその上面部にキーボード５を配設している。本体ケース２と表示部ケース３とは、ヒンジ部６により回動可能に接続している。表示部ケース３は、ＬＣＤパネル４の表示領域が可視状態となるようＬＣＤパネル４の周辺部を保持している。またキーボード５の略中央部にスティック式ポインティングデバイスのスティック７が設けられ、さらにスティック７により操作されたカーソルなどの指示を決定する２つのボタン８が本体ケース２上面に設けられており、本実施形態ではこのスティック７とボタン９とを総称してスティック式ポインティングデバイス７１と呼ぶ。
【００２４】
また、本体２の上面キーボード５の下部には、ポインティングデバイスであり入力面８とボタン９とを有するなるタッチパッド８１が配設されている。このタッチパッド８１１の入力面８は、光を透過する透光部材により形成されている。
また、スティック式ポインティングデバイス７１のボタン９において、使用者に触れられる操作面も、タッチパッド８１と同様に透光部材により構成されている。
【００２５】
表示部ケース３はヒンジ部を介して矢印Ａ−Ｂ方向に回動可能であり、キーボード５を覆う閉位置とキーボード５を使用可能な状態にする開位置との間で回動可能である。
【００２６】
またキーボード５の所定キーにはスティック式ポインティングデバイス７１及びタッチパッド８１１のイネーブル／ディスエーブルを切り替え可能な切替キー１０が割り当てられている。
【００２７】
続いて、図２に第１の実施形態に係るパソコン内のハードウェア構成図を示す。
【００２８】
パソコン１本体内は、通常のパソコン１が動作するのに必要なデバイスにより構成している。このパソコン１の制御を司るＣＰＵ１１と第１のブリッジ回路１２とは６４ビット幅のデータバスを有するＣＰＵローカルバスによって接続しており、第１のブリッジ回路１２にはメインメモリ１３及びＬＣＤ４が接続されている。第１のブリッジ回路１２と第２のブリッジ回路１４とは、３２ビット幅のデータバスを有する第１のバス１５によって接続している。第２のブリッジ回路１４にはＨＤＤ１６が接続されており、第２のブリッジ回路１４に接続されている１６ビット幅のデータバスを有する第２のバス１７を介して、エンベデットコントローラ（以後、ＥＣと称す）１８およびＢＩＯＳ−ＲＯＭ１９が接続されている。
【００２９】
ＣＰＵ１１は、パソコン１全体の動作制御およびデータ処理等を実行するものである。
【００３０】
メインメモリ１３は、オペレーティングシステム（以後、ＯＳと称す）２０、ＢＩＯＳ２１、ユーティリティソフト２２および処理データなどを格納するメモリデバイスであり、複数のＤＲＡＭなどによって構成している。
【００３１】
ＯＳ２０は、パソコン１のハードウェアとソフトウェアの動作を総合的に管理・制御するためのものである。また、アプリケーションの、割込み等の手続きに対してＣＰＵ１１の処理の権利（ＣＰＵ１１の利用権）を与えるかの管理等を行なう。
【００３２】
ＢＩＯＳ２１は、パソコン１内の各種ハードウェアをアクセスするファンクション実行ルーチンを体系化したものであり、パソコン１の起動時に、ＢＩＯＳ−ＲＯＭ１９から読み出されるものである。また、各種ハードウェアへの電源供給制御等の省電力設定を記憶している。
【００３３】
ユーティリティソフト２２は、各種デバイスからのイベント発生（割り込み等）に応じて、適当な処理を行なうべくＢＩＯＳ２１へ制御指示を行なう。
【００３４】
第１のブリッジ回路１２は、ＣＰＵローカルバスと第１のバス１５との間を繋ぐブリッジＬＳＩであり、第１のバス１５のバスマスタデバイスの１つとして機能する。この第１のブリッジ回路１２は、ＣＰＵローカルバスと第１のバス１５との間で、データ及びアドレスを含むバス幅を変換する機能、及びメモリバスを介してメインメモリ１３のアクセス制御をする機能などを有している。また、表示コントローラとしての機能も有しており、第１のブリッジ回路１２に接続されたＬＣＤ４へ表示データを送信する。
【００３５】
第１のバス１５はクロック同期型の入出力バスであり、第１のバス１５上の全てのサイクルは、第１のバスクロックに同期して行う。この第１のバス１５は、時分割的に使用されるアドレス／データバスを有している。
【００３６】
第２のブリッジ回路１４は、第１のバス１５と第２のバス１７との間を繋ぐブリッジＬＳＩであり、第１のバス１５と第２のバス１７との間のバス変換等を行う。また、データの記憶再生装置として用いられるＨＤＤ１６が接続されており、このＨＤＤ１６の制御を行うＩＤＥコントローラが組みこまれている。第２のブリッジ回路１４から延出する第２のバス１７には、ＥＣ１８およびＢＩＯＳ−ＲＯＭ１９が接続されている。
【００３７】
ＥＣ１８は、ＣＰＵ１１によってリード／ライト可能な複数のレジスタ群を内蔵している。これらレジスタ群を使用することにより、ＣＰＵ１１とＥＣ１８に接続されるデバイスとの間の通信が可能となる。また、キーボードコントローラ（以下、ＫＢＣと称す）としての機能も内蔵されている。
【００３８】
ＢＩＯＳ―ＲＯＭ１９は、パソコン内の各種ハードウェアをアクセスするファンクション実行ルーチンを体系化したプログラムであり、パソコンの起動時に、読み出されるものである。一般に、ＢＩＯＳはパソコン内で不揮発性メモリ（フラッシュＲＯＭ）に記憶されている。
【００３９】
また、ＥＣ１８には、キーボード５、スティック式ポインティングデバイス７１、タッチパッド８１といったユーザインターフェースが接続されている。各ユーザインターフェースから入力された信号はＥＣ１８により信号変換され、上位のデバイスへ通知される。さらにＥＣ１８には発光手段２３、２４が接続されている。
【００４０】
また、スティック式ポインティングデバイス７１とＥＣ１８とは、操作データを送信するデータラインと、データを取り込む同期を取るためのクロックラインとにより接続されている。ＥＣ１８は、クロックラインのタイミングに基づいて、データラインにより送られるデータを上位デバイスへ通知する。タッチパッド８１も同様である。
【００４１】
発光手段２３、２４は例えばＬＥＤなどにより構成されている。この発光手段２３、２４は、それぞれボタン１０及びタッチパッド８１の下方に設けられている。発光手段２３、２４はスティック式ポインティングデバイス７１、タッチパッド８１がイネーブル（使用可能状態）である場合に発光し、それぞれボタン１０、タッチパッド８１の下方から発光することで使用可能であることをユーザに示すものである。また、本実施形態においては発光手段２３、２４はそれぞれ発光色を異ならせるように設計されており、例えば発光手段２３は橙色で発光し、発光手段２４は緑色で発光する。
【００４２】
電源コントローラ２５は、このパソコン１の電源のオン／オフなどの動作電源の供給制御を行うコントローラであり、図示しないバッテリパックの充電制御やなども行う。
【００４３】
次に、図３にＸ−Ｘ線に沿った断面図を示す。
【００４４】
本体ケース２の上面に半透明上の入力面８およびボタン７が設けられており、入力面８およびボタン７の下方に設けられた基板３１上に発光手段２３、２４が設けられている。発光手段２３，２４が発光した際は、夫々の光がボタン７、入力面８を透過し、ユーザに発光状態が認識可能となる。また、この発光手段２３、２４はスティック式ポインティングデバイス７１、タッチパッド８１が使用状態可能な場合のみ発光されるように制御されるので、発光状態に応じてユーザは使用可能か否かを認識可能である。
【００４５】
また本体ケース２内で入力面８とボタン７との間には壁部３２が設けられている。これは例えば発光手段２３が発光された際に、発光手段２３で発光された光が入力面８を透過しないようにするためであり、本体ケース２に連続する形で設けられても良いし、基板３１から突出する形で設けられても良い。
【００４６】
続いて図４にＥＣ内のレジスタ値の例を示す。
【００４７】
ＥＣ１８に設けられたレジスタには図に示すレジスタという値が記憶されている。図１に示し切替えキー１０が押下される度に、レジスタの値はＣＰＵ１１により、「００」→「０１」→「１０」→「１１」→「００」と変更される。ＥＣ１８はこのレジスタの値に基づいてスティック式ポインティングデバイス７１およびタッチパッド８１夫々と接続されているラインのデータ入力の有効（処理する）／無効（入力されても処理しない）を切り替える。
【００４８】
図中「○」はポインティングデバイスのイネーブルを示し、「×」はポインティングデバイスのディスエーブルを示す。
【００４９】
レジスタの値が「００」４１の場合、スティック式ポインティングデバイス７１をイネーブル（使用可能）にし、タッチパッド８１をイネーブル（使用可能）にする。この場合、スティック式ポインティングデバイス７１とタッチパッド８１との両方が使用可能となる。
【００５０】
レジスタの値が「０１」４２の場合、スティック式ポインティングデバイス７１をイネーブル（使用可能）にし、タッチパッド８１をディスエーブル（使用不可）にする。
【００５１】
レジスタの値が「１０」４３の場合、スティック式ポインティングデバイス７１をディスエーブル（使用不可）にし、タッチパッド８１をイネーブル（使用可能）にする。
【００５２】
レジスタの値が「１１」４４の場合、スティック式ポインティングデバイス７１をディスエーブル（使用不可）にし、タッチパッド８１をイネーブル（使用可能）にする。この場合、スティック式ポインティングデバイス７１とタッチパッド８１との両方が使用できない状態になる。
【００５３】
また、各レジスタの値に応じて、発光手段２３、２４も夫々発光／消灯の制御が行われる。
【００５４】
例えば、レジスタの値が「００」４１の場合、発光手段２３を発光させ、さらに発光手段２４を発光させる。ここで、発光は夫々発光手段２３、２４へ電力を供給することで発光手段は発光される。
【００５５】
レジスタの値が「０１」４２の場合、発光手段２３を発光させ、さらに発光手段２４を発光させない。
【００５６】
レジスタの値が「１０」４３の場合、発光手段２３を発光させず、さらに発光手段２４を発光させる。
【００５７】
レジスタの値が「１１」４４の場合、発光手段２３を発光させず、さらに発光手段２４を発光させない。
【００５８】
続いて図５にポインティングデバイスの使用可否の切り替えに係るフローチャートを示す。
【００５９】
何らかのキー入力があった場合に割り込みが発生した場合に（ステップＳ１０１のＹＥＳ）、ＥＣ１８が割り込みを受けてＢＩＯＳ２１へ通知する（ステップＳ１０２）。
【００６０】
ＢＩＯＳ２１は割り込み通知を受けて、割り込みイベントコード及びＳＭＩ（Ｓｙｓｔｅｍ  Ｍａｎａｇｅｍｅｎｔ  Ｉｎｔｅｒｕｐｔ）をユーティリティソフト２２へ通知する（ステップＳ１０３）。
【００６１】
ユーティリティソフト２２は、受け取ったイベントコードから、どのようなイベントが起こったか判断する。ここで、ポインティングデバイスの切替えを指示するイベント（切替えキー１０または特定ボタンの押下）が起きたと判断した場合は（ステップＳ１０４のＹＥＳ）、ＢＩＯＳへ、ポインティングデバイスの切替えを行なうように指示する（ステップＳ１０５）。
【００６２】
ユーティリティソフト２２から、ポインティングデバイスの切替え指示を受けたＢＩＯＳは、ＥＣ１８内のレジスタに記憶されている値を取得し（ステップＳ１０６）、レジスタの値を書き込む（ステップＳ１０７）。ここで、例えば、イベント発生前のＥＣ１８内のレジスタが「００」であった場合は、「０１」に書き換える。
【００６３】
ＥＣ１８はレジスタの値が書き換えられたことに伴って、ポインティングデバイスのイネーブル／ディスエーブル制御を行う（ステップＳ１０８）。またこれに伴い発光手段２３、２４の発光／消灯制御を行う（ステップＳ１０９）。
【００６４】
一例としてタッチパッド８１のディスエーブル制御について説明を行う。タッチパッド８１とＥＣ１８とはデータ同期のタイミングをとるクロックラインと、入力操作のデータを送るデータラインとで接続されている。ディスエーブルの場合、ＥＣ１８は、タッチパッド８１と接続されているクロックラインの信号をローステート状態に保つことでデータラインからの入力データを取り込みタイミングが分からなくなるため、データの入力が行われない状態となる。このため使用者がタッチパッドの操作を行ってもＬＣＤ４に表示されているカーソルなどの動作に反映されることはない。同様に、スティック式ポインティングデバイス７１もＥＣ１８とクロックラインとデータラインとで接続されており、上述のようにディスエーブル制御が行われる。
【００６５】
また、発光手段２３、２４は、ＥＣ１８内のレジスタの値に基づいてＥＣ１８の制御により電源供給を受け発光／点灯が制御される。
【００６６】
上述のように、ポインティングデバイスの切替え操作が行われた場合に、ポインティングデバイスの使用可否の切替え制御が行われる。また発光手段により現在使用可能なポインティングデバイスのそれぞれ入力面、操作面が照射され、透光部材を介して発光手段の光が識別できるので使用者は使用可能なポインティングデバイスを容易に認識可能となる。
【００６７】
また、上述の例では、クロックラインをイネーブル／ディスエーブルに切換える例を述べたが、ＢＩＯＳからの切り替え指示により、使用禁止の場合は、タッチパッド６からの入力信号をＥＣ１８内で破棄し、上位へデータを伝達しないといった手法でも良い。
【００６８】
上述の実施形態では、キーの押下により、ポインティングデバイスの切替え操作をボタン１０により切換える例を示したが、ＬＣＤ４上にグラフィカルユーザーインターフェース（以後、ＧＵＩと称す）を表示し、ＧＵＩをカーソルでクリックすることで切替え操作を行わせても良い。
【００６９】
またＬＣＤ４にそれぞれのポインティングデバイスの使用可否を選択可能なメニュー画面を表示し、夫々のポインティングデバイスの状態（使用可能／使用禁止）を選択指示することで切替え制御を行っても良い。
【００７０】
続いて第１の実施形態の変形例について説明する。
【００７１】
第１の実施形態では、スティック式ポインティングデバイスの使用可能状態を示すためにボタン７の操作面を透光部材により構成し、ボタン７を光らせることにより識別可能としたが、本変形例ではスティック６を光らせる例である。
【００７２】
図６にスティック周辺の拡大斜視図を示す。
【００７３】
スティック６は使用者の指が触れるキャップ６１と、使用者の操作に応じて前後左右に傾倒する軸部６２とを有する。軸部７２は一端を図示しない基台に接続され、他端を操作されることにより傾倒され、傾倒された方向、傾倒角度に応じてベクトル量に変換される。このベクトル量に応じてＬＣＤ４に表示されるカーソルなどの移動する方向と移動量が決定される。
【００７４】
なおキャップ６１は光を透過する透光部材（例えば、シリコンなど）により構成されている。軸部６２はプラスティックなどの部材により構成されている。
【００７５】
また図７に第１の実施形態の変形例に係るスティック周辺の上面図を示す。
【００７６】
軸部６２の上面略中央部に発光手段６３が設けられている。発光手段６３は、スティック式ポインティングデバイス７１が使用可能状態のときに点灯され、透光部材で構成されているキャップ６１を介して発光手段６３が点灯されていることが識別可能である。このことにより、使用者はスティック式ポインティングデバイス７１が使用可能か否かという状態を判別可能である。
【００７７】
発光手段６３の制御については、図５と同様であるため説明は省略する。なお、上述したように発光手段は、様々な色の発光手段を用いることが可能である。
例えばタッチパッド８１の使用可能状態を示す発光手段２４は青色の発光手段を用い、スティック式ポインティングデバイス７１の使用可能状態を示す発光手段２３は黄色で光らせるなどして色も識別することが可能である。また、使用できない状態の場合は消灯もしくは赤色などで点灯させて使用不可能であることを通知しても良い。
【００７８】
また上述の実施形態では発光手段としてＬＥＤ（Ｌｉｇｈｔ  Ｅｍｉｔｔｉｎｇ  Ｄｉｏｄｅ）、入力面、操作面を側方から照らすサイドライトなども用いることが可能である。
【００７９】
続いて第２の実施形態を説明する。
【００８０】
第２の実施形態では、スティック式ポインティングデバイス７１及びタッチパッド８１の使用可能状態／使用禁止状態をＬＣＤ４に表示する例について説明する。
【００８１】
電子機器については上述の第１の実施形態と同様のため説明は省略する。
【００８２】
図８および図９に第２の実施形態に係るＬＣＤの表示例の図を示す。
【００８３】
本実施形態では切替えキー１０を押下した場合に、ＬＣＤ４に表示される情報表示領域５１の中にスティック式ポインティングデバイス７１及びタッチパッド８１のオブジェクト５２、５３を夫々表示する。
【００８４】
このオブジェクト５２、５３は、スティック式ポインティングデバイス７１、タッチパッド８１夫々が使用可能状態か否かを表示するものである。オブジェクト５２、５３の表示は様々な態様が考えられ、使用可能状態の場合のみオブジェクト５２、５３を表示しても良いし、スティック式ポインティングデバイス７１、タッチパッド８１が使用できない状態の場合はオブジェクト５２、５３を表示しない、若しくは図７に示すように使用できないポインティングデバイスに対応したオブジェクト５２に「×」印５４を重ね合わせて表示することでスティック式ポインティングデバイスが使用できない旨表示しても良い。
【００８５】
図１０に第２の実施形態におけるポインティングデバイスの使用可否の切り替えに係るフローチャートを示す。
【００８６】
ステップＳ２０１乃至Ｓ２０８は、図５におけるステップＳ１０１乃至ステップＳ１０８と同様であるため説明を省略する。
【００８７】
ステップＳ２０９において、ポインティングデバイスの使用切替えが行われた場合、ＬＣＤ４に表示されるオブジェクトの表示制御を行なう。
【００８８】
ここでは、上述したようにオブジェクト５２、５３の表示／非表示の制御若しくは、表示／「×」印表示の制御を行なう。
【００８９】
また本実施形態では、図９に示したようにオブジェクト５３の上に「×」印５４が表示されている場合に、そのオブジェクト５３の表示領域がカーソル５５によってクリックされた場合に、使用禁止状態から使用可能状態へ切替えることも可能である。
【００９０】
これは例えばスティック式ポインティングデバイス７１を操作し、カーソル５５をオブジェクト５３の表示範囲内に移動させる。カーソル５５の位置座標がオブジェクト５３の表示範囲座標内にある場合にボタン９が押された場合、クリックを検知し、図１０に示すステップＳ２０１に示す入力を検知する。
【００９１】
以後、ステップＳ２０２乃至ステップＳ２０８の処理に基づいてタッチパッド８１を使用可能状態へ移行させる。その後、「×」印５４の表示を中止し、図８に示すように「×」印５４は表示されない。
【００９２】
上述のように、第２の実施形態では、ポインティングデバイスの切替え操作が行われた場合に、ポインティングデバイスの切替え制御が行われ、ＬＣＤ上にポインティングデバイスの識別状態を表示させること、使用者は使用可能なポインティングデバイスを容易に認識可能となる。またＬＣＤに表示させることで、使用者は視線の移動も少なく使用可能なポインティングデバイスを識別可能である。
【００９３】
上述したように、本発明によれば複数のポインティングデバイスを有する電子機器において適宜ポインティングデバイスの入力可能／禁止を切替えることが可能であり、入力可能なポインティングデバイスを容易に識別可能である。
【００９４】
【発明の効果】
以上詳述した発明によれば、複数のポインティングデバイスを有する電子機器において適宜ポインティングデバイスの入力可能／禁止を切替えることが可能であり、入力可能なポインティングデバイスを容易に識別可能とする電子機器を提供することが可能である。
【図面の簡単な説明】
【図１】第１の実施形態に係る電子機器の斜視図。
【図２】第１の実施形態に係る電子機器のハードウェア構成図。
【図３】第１の実施形態に係るＸ−Ｘ線に沿った断面図。
【図４】第１の実施形態にＥＣ内のレジスタ値を示す図。
【図５】第１の実施形態に係るポインティングデバイス制御のフローチャート。
【図６】第１の実施形態の変形例に係るスティック式ポインティングデバイス周辺の斜視図。
【図７】第１の実施形態の変形例に係るスティック式ポインティングデバイス周辺の上面図。
【図８】第２の実施形態に係るＬＣＤの表示例の図。
【図９】第２の実施形態に係るＬＣＤの表示例の図。
【図１０】第２の実施形態に係るポインティングデバイス制御のフローチャート。
【符号の説明】
１…パソコン
２…本体ケース
３…表示部ケース
４…ＬＣＤ
５…キーボード
６…ヒンジ部
７…スティック色ポインティングデバイス
８・・・タッチパッド
９・・・ボタン
１０・・・切替えキー
１１…ＣＰＵ
１２…第１のブリッジ回路
１３…メインメモリ
１８…エンベデッドコントローラ
１９…ＢＩＯＳ−ＲＯＭ
２１…ＢＩＯＳ
２２・・・ユーティリティソフト
２３、２４・・・発光手段
【図１】
2004348453.tif 000003
【図２】
2004348453.tif 000004
【図３】
2004348453.tif 000005
【図４】
2004348453.tif 000006
【図５】
2004348453.tif 000007
【図６】
2004348453.tif 000008
【図７】
2004348453.tif 000009
【図８】
2004348453.tif 000010
【図９】
2004348453.tif 000011
【図１０】
2004348453.tif 000012